(57)【要約】【課題】  軒樋の形状を問わず、市販される一般的な巻尺を使用して、軒樋配設施工における寸法測定作業を一人の施工者にて行わせ得るようにした寸法測定治具を提供する。【解決手段】  被測定物Ｃの端部からの距離寸法を巻尺Ｂを用いて測定するための寸法測定治具Ａである。被測定物Ｃの端部にある板状部位を表裏に挟み付けて治具本体１を被測定物Ｃに装着する装着部２と、装着部２に挟んだ被測定物Ｃの端部を当接させる当接部３と、巻尺Ｂの目盛帯１２の先端にあるＬ字状のフック１１を挿通させて孔縁部分に引掛け係止させる貫通孔４とを治具本体１に備えた。【選択図】        図１
2005134121.tif 000002
【特許請求の範囲】
【請求項１】
被測定物の端部からの距離寸法を巻尺を用いて測定するための寸法測定治具であって、被測定物の端部にある板状部位を表裏に挟み付けて治具本体を被測定物に装着する装着部と、装着部に挟んだ被測定物の端部を当接させる当接部と、巻尺の目盛帯の先端にあるＬ字状のフックを挿通させて孔縁部分に引掛け係止させる貫通孔とを治具本体に備えたことを特徴とする寸法測定治具。
【請求項２】
主片と副片とが直交するＬ字板状に治具本体を形成し、治具本体の主片を切り起こしてバネ片を形成し、このバネ片の形状を、主片の表面から略垂直に突出させると共にその先端を副片と反対方向に延ばして主片の表面に近接させるように形成し、被測定物を挟持し得る主片の表面とバネ片の先端部とで装着部を構成し、バネ片の基端部で当接部を構成し、副片に貫通孔を穿孔したことを特徴とする請求項１記載の寸法測定治具。
【発明の詳細な説明】
【技術分野】
【０００１】
本発明は、軒樋配設施工に用いる寸法測定治具に関するものである。
【背景技術】
【０００２】
従来から、軒樋配設施工では軒樋と軒樋との間を測定するなどの寸法測定作業が頻繁に行われる。たとえば屋根の軒先に沿って軒樋を配設するには、軒樋製造工場で一定長さに製造された軒樋を屋根の軒先に沿わせて順に連設していくのであるが、屋根の軒樋方向の長さ寸法は必ずしも一定長さの軒樋の倍数ではないため、順に連設した最後の軒樋は適宜長さで切断されるものであり、この切断する軒樋の長さ寸法は施工現場での寸法測定により決定される。この寸法測定作業は、具体的には、図５のように、脚立１５などに登った作業者Ｄが軒先１６に既に取り付けられた軒樋１０の長さ方向の端部１０ｂに巻尺Ｂの目盛帯１２の先端を合わせて保持し、他方、脚立１５などに登った作業者Ｅが所定位置の目盛帯１２の目盛りを読むことで行われる。このように軒樋配設施工での寸法測定作業は、通常、巻尺Ｂの先端を押さえる施工者Ｄと、巻尺Ｂの目盛りを読む施工者Ｅとの２人の施工者Ｄ，Ｅを同時に必要とする煩雑な作業であった。したがって、この軒樋配設施工での寸法測定作業は、必要とされる施工者数を減らして作業の容易化が図られることが切望されていた。
【０００３】
ところで、特許文献１のように巻尺の目盛帯の先端に吸盤を付設したり、特許文献２のように巻尺の目盛帯の先端に永久磁石を付設し、巻尺の目盛帯の先端を被測定物に固定しようとするものはあり、この特殊な巻尺を用いて上記軒樋配設施工での寸法測定作業を行うことも考えられるが、軒樋配設施工への専用品である巻尺を用いるのはコスト的に好ましくなく、また軒樋は樹脂成形品である薄板壁で主体が構成されるのが一般的であり、また軒樋には丸型軒樋のように曲面状の壁面を有するものもあり、上記の吸盤や永久磁石では巻尺の目盛帯の先端を軒樋の端部に保持できないことが多く、上記軒樋配設施工での寸法測定作業に採用するには困難であった。
【特許文献１】実開昭６０−５０１号公報
【特許文献２】実開平５−３６３０２号公報
【発明の開示】
【発明が解決しようとする課題】
【０００４】
本発明は上記の従来の問題点に鑑みて発明したものであって、軒樋の形状を問わず、市販される一般的な巻尺を使用して、軒樋配設施工における寸法測定作業を一人の施工者にて行わせ得るようにした寸法測定治具を提供することを課題とするものである。
【課題を解決するための手段】
【０００５】
上記課題を解決するために本発明の請求項１に係る寸法測定治具は、被測定物Ｃの端部からの距離寸法を巻尺Ｂを用いて測定するための寸法測定治具Ａであって、被測定物Ｃの端部にある板状部位を表裏に挟み付けて治具本体１を被測定物Ｃに装着する装着部２と、装着部２に挟んだ被測定物Ｃの端部を当接させる当接部３と、巻尺Ｂの目盛帯１２の先端にあるＬ字状のフック１１を挿通させて孔縁部分に引掛け係止させる貫通孔４とを治具本体１に備えたことを特徴とする。
【０００６】
この寸法測定治具Ａによると、薄板壁１０ａで主体が構成される軒樋１０のような板状部位を有する被測定物Ｃの端部に装着部２を介して取付けることができ、つまり角型や丸型の軒樋１０の形状を問わずに軒樋１０の長手方向の端部１０ｂに寸法測定治具Ａを固定でき、更に、この寸法測定治具Ａの貫通孔４に巻尺Ｂの目盛帯１２の先端のフック１１を挿通させて貫通孔４の孔縁部分に引掛け係止させることで、巻尺Ｂの目盛帯１２の先端を被測定物Ｃの端部に固定させることができることから、被測定物Ｃの端部からの寸法測定作業にあっては、従来必要とされた巻尺Ｂの目盛帯１２の先端を被測定物Ｃの端部に保持固定させる施工者Ｄが不要となり、巻尺Ｂの目盛り１３を読む一人の施工者Ｅのみで行わせることができて作業の容易化が図られるのである。また、この寸法測定治具Ａによると、専用品ではなく、市販されている一般的な巻尺Ｂを用いて寸法測定作業を行わせることができ、つまり従来使用していた巻尺Ｂを継続使用した上で寸法測定治具Ａを導入するだけで寸法測定作業の容易化を図ることができるのである。また、この寸法測定治具Ａによると、被測定物Ｃの端部を当接部３に当接させることで、貫通孔４に係止した巻尺Ｂの目盛帯１２の先端と被測定物Ｃの端部との距離を一定に保つことができ、寸法測定の正確性を確保できるのである。
【０００７】
また、請求項２に係る寸法測定治具は、請求項１において、主片１ａと副片１ｂとが直交するＬ字板状に治具本体１を形成し、治具本体１の主片１ａを切り起こしてバネ片５を形成し、このバネ片５の形状を、主片１ａの表面から略垂直に突出させると共にその先端を副片１ｂと反対方向に延ばして主片１ａの表面に近接させるように形成し、被測定物Ｃの板状の端部を挟持し得る主片１ａの表面とバネ片５の先端部５ａとで装着部２を構成し、バネ片５の基端部５ｂで当接部３を構成し、副片１ｂに貫通孔４を穿孔したことを特徴とする。
【０００８】
この寸法測定治具Ａは、材材を直角に折り曲げることで治具本体１を形成し、治具本体１の主片１ａを切り起こしてバネ片５を形成し、このバネ片５を所定形状に施すことで装着部２及び当接部３を形成し、治具本体１の副片１ｂに貫通孔４を穿孔することで製造できるのであり、つまり、この寸法測定治具Ａは一枚の板材から形成することが可能であり、容易な製造性を確保できるのである。
【発明の効果】
【０００９】
本発明は、被測定物の端部からの距離寸法を巻尺を用いて測定するための寸法測定治具の治具本体に、被測定物の端部にある板状部位を表裏に挟み付けて治具本体を被測定物に装着する装着部と、装着部に挟んだ被測定物の端部を当接させる当接部と、巻尺の目盛帯の先端にあるＬ字状のフックを挿通させて孔縁部分に引掛け係止させる貫通孔と備えたので、主体が薄板壁で構成される軒樋を被測定物とした場合、つまり軒樋配設施工における軒樋の長手方向の端部からの寸法測定作業にあっては、軒樋の形状を問わずに、軒樋の長手方向の端部に取付けた寸法測定治具によって巻尺の目盛帯の先端を固定でき、つまり従来必要とされた巻尺の目盛帯の先端を軒樋の長手方向の端部に保持固定させる施工者を不要にでき、また、一般の巻尺を使用することができ、更には、軒樋の長手方向の端部を当接部に当接して寸法測定治具を所定の状態で軒樋の長手方向の端部に取り付けることができるのであり、したがって、軒樋の形状を問わず、寸法測定の正確性を維持しながらも、目盛りを読む一人の施工者だけで行わせることができ、寸法測定作業の容易化を図ることができるといった効果を有している。
【発明を実施するための最良の形態】
【００１０】
本例の寸法測定治具Ａは、薄板壁１０ａで主体が形成される軒樋１０の長手方向の端部１０ｂからの寸法距離を巻尺Ｂを用いて測定するのに適した図２に示すような治具であって、軒樋１０のような被測定物Ｃの端部にある板状部位を表裏に挟み付けて治具本体１を被測定物Ｃに装着する装着部２と、装着部２に挟んだ被測定物Ｃの端部を当接させる当接部３と、巻尺Ｂの目盛帯１２の先端にあるＬ字状のフック１１を挿通させて孔縁部分に引掛け係止させる貫通孔４とを備えたものである。
【００１１】
詳述すると、寸法測定治具Ａの主体を構成せる治具本体１は、主片１ａと副片１ｂとが直交するＬ字板状に形成されている。なお、便宜上、主片１ａと副片１ｂとの対向方向を内方向とし、その逆を外方向として説明する。この治具本体１の主片１ａには、上面視コ字状に切り込み６が入れられ、この切り込み６にて囲まれた部位でバネ片５を形成している。詳しくは、上面視コ字状の切り込み６は、主片１ａの矩形外縁における副片１ｂ側の外縁以外の各外縁に平行となるように形成されている。また、このバネ片５は、主片１ａの外面から外側に略垂直に立ち上がり、次いで副片１ｂから離れる方向に折れ曲がり、主片１ａの外面に添うように延伸するような形状に形成されている。言いかえると、バネ片５の基端部５ｂは主片１ａの外面から外側に略垂直に立ち上がるように形成され、バネ片５の先端部５ａは副片１ｂの反対方向に延びると共に主片１ａの外面に近接するように形成されている。ここで、上記装着部２は対向する主片１ａの外面とバネ片５の先端部５ａとで構成されており、また、上記当接部３はバネ片５の基端部５ｂで構成されている。詳しくは、バネ片５の先端部５ａではバネ片５を主片１ａの外面に近接させるような山部８が形成され、この山部８よりも先端側のバネ片５の最先端５ｃではバネ片５が主片１ａの外面から離れるようなガイド部７が形成されている。このガイド部７は装着部２に被測定物Ｃ（軒樋１０）を導入し易くするものである。また、治具本体１の副片１ｂには内外に貫通する貫通孔４が穿孔されている。詳しくは、この貫通孔４は治具本体１の幅方向に長い矩形状に形成されている。
【００１２】
ここで、本例の寸法測定治具Ａは、上述した構成を有していることから、板材を直角に折り曲げることで治具本体１を形成し、治具本体１の主片１ａを切り起こしてバネ片５を形成し、このバネ片５を所定形状に施すことで装着部２及び当接部３を形成し、治具本体１の副片１ｂに貫通孔４を穿孔することで製造ができるようにされている。つまり、この寸法測定治具Ａは、簡単な構成を有していて、一枚の板材から形成することが可能であって、容易な製造性が確保されているのである。
【００１３】
この寸法測定治具Ａを用いて軒樋１０の長手方向の端部１０ｂからの距離寸法の測定を行うには、図１や図３のように、寸法測定治具Ａを装着部２によって軒樋１０の長手方向の端部１０ｂに取付け、この寸法測定治具Ａの貫通孔４に巻尺Ｂの目盛帯１２の先端にあるＬ字状のフック１１を挿通させると共に貫通孔４の孔縁部分にフック１１を引掛け係止させることで、巻尺Ｂの目盛帯１２の先端を軒樋１０の長手方向の端部１０ｂに固定させて行わせることができる。つまり、この寸法測定治具Ａを用いた軒樋１０の長手方向の端部１０ｂからの寸法測定作業にあっては、従来必要とされた巻尺Ｂの目盛帯１２の先端を被測定物Ｃの端部に保持固定させる施工者を不要とすることができ、図４のように、巻尺Ｂの目盛り１３を読む一人の施工者のみで行わせることができて寸法測定作業の容易化が図られているのである。なお、軒樋１０の長手方向の端部１０ｂからの寸法測定作業は、高所において行われる軒樋配設施工時に頻繁に行われるものであるから、この寸法測定作業の容易化によって、軒樋配設施工の効率を大幅に向上できるのである。
【００１４】
ここで、この寸法測定治具Ａの軒樋１０の長手方向の端部１０ｂへの取付けは、軒樋１０を構成する薄板壁１０ａのような板状部位を表裏に挟み付ける装着部２によって行われる。詳しくは、装着部２を構成するバネ片５の先端部５ａと治具本体１の外面との隙間は、何も挟まない自然状態時には、少なくとも軒樋１０を構成する薄板壁１０ａの厚みよりも狭く形成されている。また、バネ片５の先端部５ａと治具本体１の外面との隙間に軒樋１０を挿入する際には、バネ片５の最先端５ｃのガイド部７によって、上記隙間への軒樋１０の挿入をスムーズにできるようにされている。この隙間に軒樋１０を挿入していくとバネ片５の山部８に軒樋１０の端部１０ｂが当たるのであり、この山部８で軒樋１０の挿入圧を受けてバネ片５が自然に外側に撓むようになる。軒樋１０の挿入圧を受けて外側に撓んだバネ片５は弾性復帰をするのであり、この弾性復帰によってバネ片５の先端部５ａと治具本体１の外面とで軒樋１０が強固に表裏に挟み付けられるようになるのである。更に、詳しくは、バネ片５の山部８の突出先端部分に挟持圧を集中させるようにして軒樋１０は装着部２によって挟持されるので、装着部２は軒樋１０を強固に挟持できるのである。なお、軒樋１０は一般的にその主体は薄板壁１０ａで構成されているので、板状部位を挟み付ける装着部２によると、角型や丸型の軒樋１０の形状を問わずに軒樋１０の長手方向の端部１０ｂに寸法測定治具Ａを取付け、固定することができるのである。
【００１５】
また、この寸法測定治具Ａを用いた軒樋１０の長手方向の端部１０ｂからの寸法測定作業では、専用品ではなく、市販されている一般的な巻尺Ｂを用いて作業を行わせることができる。つまり寸法測定治具Ａと並行して従来使用していた巻尺Ｂの継続使用が可能であり、巻尺Ｂの継続使用した上で寸法測定治具Ａを導入するだけで寸法測定作業の容易化を図ることができるのである。また、この寸法測定治具Ａを用いた軒樋１０の長手方向の端部１０ｂからの寸法測定作業では、軒樋１０の長手方向の端部１０ｂを深く装着部２に挿入させることで、軒樋１０の長手方向の端部１０ｂがバネ片５の基端部５ｂである当接部３に当接されるのであるが、この軒樋１０の長手方向の端部１０ｂを当接部３に当接させるといったことで、貫通孔４に係止した巻尺Ｂの目盛帯１２の先端と軒樋１０の長手方向の端部１０ｂとの距離を一定に保つことができるのであり、つまり、巻尺Ｂの目盛り１３を読むときには、一定値である当接部３と貫通孔４とのズレのみを考慮に入れればよいものであるから、寸法測定の正確性を確保できるのである。
【００１６】
図示はしないが、無論、当接部３と貫通孔４とを目盛帯１２の長さ方向において同位置にあるように形成し、貫通孔４に係止させた巻尺Ｂの目盛帯１２の目盛り１３の０点が当接部３に一致するようにした寸法測定治具Ａでも好ましい。これによると、巻尺Ｂの目盛り１３が被測定物Ｃの端部からの距離を直接示すこととなり、寸法測定の利便性を向上できるのである。
【００１７】
上述したように本例の寸法測定治具Ａは、装着部２によって軒樋１０の形状を問わずに軒樋１０の長手方向の端部１０ｂへの取付けを可能にするものであり、また、当接部３によって寸法測定の正確性を確保できるものであり、また、寸法測定に用いる巻尺Ｂも市販される一般的なものを用いることが可能であり、そして、寸法測定治具Ａを介して巻尺Ｂの目盛帯１２の先端を軒樋１０の長手方向の端部１０ｂに固定できるから、寸法測定治具Ａを導入するだけで、寸法測定作業は巻尺Ｂの目盛り１３を読む施工者Ｅのみで行うことができ、足場の悪い高所での作業を強いられる軒樋配設施工における寸法測定作業では特にその作業の容易化を図ることができる。なお、上記説明では、寸法測定治具Ａを軒樋１０の長手方向の端部１０ｂからの寸法測定作業に用いる場合について説明したが、装着部２は被測定物Ｃの端部にある板状部位を挟み付けるものであるから、軒樋１０以外の被測定物Ｃに対しても寸法測定治具Ａは上記効果を奏するように使用できるのは言うまでもない。
【図面の簡単な説明】
【００１８】
【図１】本発明の実施の形態の例の寸法測定治具の使用状態を示す斜視図である。
【図２】同上の寸法測定治具であり、（ａ）は正面図、（ｂ）は側面図、（ｃ）は上面図である。
【図３】図１の寸法測定治具の使用状態における側断面図である。
【図４】同上の寸法測定治具を用いた寸法測定作業を示す斜視図である。
【図５】従来の寸法測定作業を示す斜視図である。
【符号の説明】
【００１９】
１  治具本体
１ａ  主片
１ｂ  副片
２  装着部
３  当接部
４  貫通孔
５  バネ片
５ａ  先端部
５ｂ  基端部
１０  軒樋
１１  フック
１２  目盛帯
Ａ  寸法測定治具
Ｂ  巻尺
Ｃ  被測定物
【図１】
2005134121.tif 000003
【図２】
2005134121.tif 000004
【図３】
2005134121.tif 000005
【図４】
2005134121.tif 000006
【図５】
2005134121.tif 000007